(57)【要約】【課題】  電源スイッチの周辺部の仕様をユーザのニーズに合わせて容易に対応できる画像形成装置を提供する。【解決手段】  外装カバー部材１５に備えられたスイッチ収容凹部１６内に位置して、電源をオン・オフ操作するための電源スイッチ１７が配置されている。スイッチ収容凹部１６に、電源スイッチ１７を覆う閉姿勢と電源スイッチ１７をオン・オフ操作可能に開放する開姿勢とに開閉操作自在に装着される開閉操作カバー体と、固定状態に装着されると共に電源スイッチ１７のオン・オフ操作部分に対応する操作領域に操作用開口部２０ｅが形成された操作領域解放カバー体２０とが、選択的に装着可能とされている。【選択図】図７
2008021436.tif 000002
【特許請求の範囲】
【請求項１】
装置本体に備えられたスイッチ収容凹部内に位置して、電源をオン・オフ操作するための電源スイッチが配置された画像形成装置において、
前記スイッチ収容凹部に、前記電源スイッチを覆う閉姿勢と電源スイッチをオン・オフ操作可能に開放する開姿勢とに開閉操作自在に装着される開閉操作カバー体と、固定状態に装着されると共に電源スイッチのオン・オフ操作部分に対応する操作領域に操作用開口部が形成された操作領域解放カバー体とが、選択的に装着可能とされていることを特徴とする画像形成装置。
【請求項２】
請求項１に記載の画像形成装置において、
前記開閉操作カバー体は、前記スイッチ収容凹部に着脱可能に装着されることを特徴とする画像形成装置。
【請求項３】
請求項１または請求項２に記載の画像形成装置において、
前記操作領域解放カバー体の前記操作用開口部が、外部から前記スイッチ収容凹部内に配置された前記電源スイッチ方向に向けて、その開口領域が漸次狭くなる操作ガイド面を有してなることを特徴とする画像形成装置。
【請求項４】
請求項１ないし請求項３のいずれかに記載の画像形成装置において、
前記スイッチ収容凹部が前記装置本体の正面に備えられていることを特徴とする画像形成装置。
【請求項５】
請求項１ないし請求項４のいずれかに記載の画像形成装置において、
前記スイッチ収容凹部は装置本体に備えられた外装カバー部材に備えられ、該外装カバー部材と前記操作部開放カバーとが同一樹脂からなることを特徴とする画像形成装置。
【請求項６】
請求項１ないし請求項５のいずれかに記載の画像形成装置において、
前記開閉操作カバー体および前記操作領域解放カバー体が、前記装置本体と異なる色で形成されていることを特徴とする画像形成装置。
【発明の詳細な説明】
【技術分野】
【０００１】
本発明は、電源スイッチの周辺部の仕様をユーザのニーズに合わせて対応可能な画像形成装置に関するものである。
【背景技術】
【０００２】
通常、電源スイッチを頻繁にオン・オフ操作するユーザにとっては、電源スイッチを直接、オン・オフ操作可能な構造とされた画像形成装置が要望され、また、一度通電するとほとんどオン・オフ操作しないユーザにとっては、データ喪失等の損傷を防止する目的で誤って電源を切る等しないように開閉操作自在なカバー体を備えた構造の画像形成装置が要望される。
【０００３】
そのため、従来、コピー機やファクシミリ装置等の画像形成装置においては、主電源となる電源スイッチが露出状に配置されて直接オン・オフ操作可能とされた構造か、もしくは電源スイッチを覆うと共に開閉操作自在とされたカバー体が備えられ、電源スイッチの操作時にはカバー体を開姿勢とし、電源スイッチの非操作時にはカバー体を閉姿勢で保持する構造のいずれかが採用されていた。
【０００４】
また、電源スイッチを覆う開閉操作自在とされたカバー体を、閉姿勢でロックする構造の装置も提案されている（例えば、特許文献１参照。）。
【０００５】
【特許文献１】特開２００４−３４１９４７号公報
【発明の開示】
【発明が解決しようとする課題】
【０００６】
しかしながら、上記のように電源スイッチが露出状に配置された構造の画像形成装置と、電源スイッチを覆って開閉操作自在なカバー体を設けた構造の画像形成装置とをそれぞれ製造する場合には、生産性に劣るという欠点があった。
【０００７】
また、一度通電するとほとんど電源スイッチをオン・オフ操作しないユーザに対しては、開閉操作自在なカバー体を備えた画像形成装置を提供し、電源スイッチを頻繁にオン・オフ操作するユーザに対しては、その開閉操作自在なカバー体を取外した状態の画像形成装置を提供する対応も考えられるが、カバー体を備える設計であるため、カバー体を取外した状態では、外観が悪くなるおそれがあると共に、ひざ等が電源スイッチに当たって誤って電源を切る等の誤動作を招くおそれがあった。
【０００８】
そこで、本発明は上記点に鑑み、電源スイッチの周辺部の仕様をユーザのニーズに合わせて容易に対応できる画像形成装置を提供することを目的とする。
【課題を解決するための手段】
【０００９】
上記課題を解決するための技術的手段は、装置本体に備えられたスイッチ収容凹部内に位置して、電源をオン・オフ操作するための電源スイッチが配置された画像形成装置において、前記スイッチ収容凹部に、前記電源スイッチを覆う閉姿勢と電源スイッチをオン・オフ操作可能に開放する開姿勢とに開閉操作自在に装着される開閉操作カバー体と、固定状態に装着されると共に電源スイッチのオン・オフ操作部分に対応する操作領域に操作用開口部が形成された操作領域解放カバー体とが、選択的に装着可能とされている点にある。
【００１０】
また、前記開閉操作カバー体は、前記スイッチ収容凹部に着脱可能に装着される構造としてもよい。
【００１１】
さらに、前記操作領域解放カバー体の前記操作用開口部が、外部から前記スイッチ収容凹部内に配置された前記電源スイッチ方向に向けて、その開口領域が漸次狭くなる操作ガイド面を有してなる構造としてもよい。
【００１２】
また、前記スイッチ収容凹部が前記装置本体の正面に備えられている構造としてもよい。
【００１３】
さらに、前記スイッチ収容凹部は装置本体に備えられた外装カバー部材に備えられ、該外装カバー部材と前記操作部開放カバーとが同一樹脂からなる構造としてもよい。
【００１４】
また、前記開閉操作カバー体および前記操作領域解放カバー体が、前記装置本体と異なる色で形成されている構造としてもよい。
【発明の効果】
【００１５】
以上のように、本発明の画像形成装置によれば、スイッチ収容凹部に、電源スイッチを覆う閉姿勢と電源スイッチをオン・オフ操作可能に開放する開姿勢とに開閉操作自在に装着される開閉操作カバー体と、固定状態に装着されると共に電源スイッチのオン・オフ操作部分に対応する操作領域に操作用開口部が形成された操作領域解放カバー体とが、選択的に装着可能とされているため、電源スイッチを一度オン操作して一度通電するとほとんどオン・オフ操作しないユーザに対しては、開閉操作カバー体を選択して装着し、電源スイッチを頻繁にオン・オフ操作するユーザに対しては、操作領域解放カバー体を選択して装着すればよく、電源スイッチの周辺部の仕様をユーザのニーズに合わせて容易に対応することができる利点がある。
【００１６】
この場合、小部品である開閉操作カバー体と操作領域解放カバー体とをそれぞれ製造するだけよく、容易に対処できる。また、操作領域解放カバー体を装着した状態においては、操作用開口部から電源スイッチのオン・オフ操作部分に対応する比較的狭い部分だけが露出する構造であるため、外観も損なわず、電源スイッチに対するひざ等の不用意な接触も有効に防止でき、電源スイッチの誤動作が有効に防止できる。
【００１７】
また、開閉操作カバー体は、スイッチ収容凹部に着脱可能に装着される構造とすれば、必要に応じて、開閉操作カバー体を取外し、操作領域解放カバー体を装着すればよく、この場合においても、電源スイッチの周辺部の仕様を後日、ユーザのニーズに合わせて容易に対応することができる。
【００１８】
さらに、操作領域解放カバー体の操作用開口部が、外部から前記スイッチ収容凹部内に配置された電源スイッチ方向に向けて、その開口領域が漸次狭くなる操作ガイド面を有してなる構造とすれば、操作領域解放カバー体の装着状態で、電源スイッチを操作する際に、指先が電源スイッチのオン・オフ操作部分に自然と案内される形状となり、操作性に優れる利点がある。
【００１９】
また、スイッチ収容凹部が装置本体の正面に備えられている構造とすれば、電源スイッチに対するアクセスが良好に行え、電源スイッチに対する操作性を良好に確保できる。
【００２０】
さらに、スイッチ収容凹部は装置本体に備えられた外装カバー部材に備えられ、該外装カバー部材と操作部開放カバーとが同一樹脂からなる構造とすれば、同一樹脂で一体化されるため、リサイクルに際して至便である。
【００２１】
また、開閉操作カバー体および操作領域解放カバー体が、装置本体と異なる色で形成されている構造とすれば、色の相違により、電源スイッチ部分を認識し易くなる利点がある。
【発明を実施するための最良の形態】
【００２２】
以下、本発明の実施形態を図面に基づいて説明すると、図１は本発明の画像形成装置の一例としてのファクシミリ装置１を示している。このファクシミリ装置１は、装置本体２の上部に原稿読み取り用の読取部３が配置され、下部には読取部３で読み取られたデータを記録するための記録部４が配置されている。
【００２３】
そして、記録部４には記録装置部５および複数の給紙カセット部６がそれぞれ上下に備えられており、対応する給紙カセット部６内に載置される用紙を記録装置部５へ給紙して記録した後に、記録紙排出トレイ７へ排出するように構成されている。
【００２４】
また、読取部３の上方には、開閉操作可能に構成される原稿押さえカバー８が配置され、該原稿押さえカバー８により読取部３上面の所定位置に載置された原稿を上方から押さえる構造とされている。そして、載置された原稿を読取部３により走査して、原稿の読み取りを行うように構成されている。
【００２５】
さらにまた、原稿押さえカバー８の一端部には、原稿を自動的に給紙する自動原稿搬送装置（ＡＤＦ装置）９が設けられており、該自動原稿搬送装置９は原稿供給トレイ１０に載置された原稿を、一枚ずつピックアップして、読取部３の所定位置へ搬送し、読取部３により原稿の表面に表示された文字等からなる画像情報、いわゆる原稿内容を読み取った後に、原稿供給トレイ１０の下側に配置された原稿排出トレイ１１へ排出するように構成されている。
【００２６】
即ち、読取部３は、図示省略の読取装置を走査させて静止原稿を読み取るフラットベッドタイプのスキャナとして用いると共に、読取装置を位置固定して原稿を搬送しながら読み取りを行うシートフィードタイプのスキャナとして用いることができるように構成されている。
【００２７】
また、読取部３の正面にはファクシミリ装置１操作用の操作キーパネル１２が配置され、該操作キーパネル１２の各種操作キーを操作することにより、原稿内容の読み取りを行ったり、読み取った内容をファクシミリ送信する際の送信先の設定を行ったり、受信内容や読み取った内容の記録を行ったりするように構成されている。
【００２８】
さらに、本実施形態においては、記録装置部５の下部に対応する装置本体２の正面に、ファクシミリ装置１の電源をオン・オフ操作するための主電源部１４が配置されている。
【００２９】
即ち、この主電源部１４は、図２ないし図５にも示されるように、装置本体２に備えられた外装カバー部材１５の一側部に配置されている。外装カバー部材１５は、例えば、ＡＢＳ樹脂やポリカーボネート等の合成樹脂により成形されており、一側部に矩形凹状のスイッチ収容凹部１６が備えられている。
【００３０】
そして、スイッチ収容凹部１６の底面には、矩形の開口部１６ａが形成されており、装置本体２の取付けフレーム等に固定されたシーソースイッチ等からなる電源スイッチ１７のオン・オフ操作部分であるスイッチ操作部１７ａが、開口部１６ａを通じてスイッチ収容凹部１６内に突出状に配置される構造とされている。
【００３１】
また、スイッチ収容凹部１６における正面側の開口端部には、開閉操作カバー体１８が着脱自在に装着されており、図１や図３の実線でに示されるように、電源スイッチ１７を覆う閉姿勢と、図２や図３の仮想線で示されるように、電源スイッチ１７をオン・オフ操作可能に開放する開姿勢とに開閉操作自在とされている。
【００３２】
即ち、開閉操作カバー体１８は、スイッチ収容凹部１６の開口端部に対応する略矩形状のカバー本体部１８ａと、該カバー本体部１８ａの下端部両側にそれぞれ側方突出状に形成された半球状の支点突部１８ｂと、カバー本体部１８ａの上端縁部の幅方向中央部よりスイッチ収容凹部１６の内方向に突出状に形成された係合フック部１８ｃとを備えている。また、カバー本体部１８ａの上端縁部における幅方向中央部分には、係合フック部１８ｃと反対方向に膨出状に形成された開閉操作部１８ｄが備えられている。そして、開閉操作カバー体１８は、外装カバー部材１５と同一樹脂からなり、例えば、ＡＢＳ樹脂やポリカーボネート等の合成樹脂により成形されている。
【００３３】
一方、スイッチ収容凹部１６の開口端部における開閉操作カバー体１８の両支点突部１８ｂに対応する両側内面部分には、支点突部１８ｂを回動自在に支持する支持孔１６ｂがそれぞれ形成されると共に、スイッチ収容凹部１６内の上面部分には、開閉操作カバー体１８の係合フック部１８ｃが係脱自在に係合する係合片部１６ｃが切欠等により形成されている。
【００３４】
そして、外装カバー部材１５や開閉操作カバー体１８の可撓性を利用して、開閉操作カバー体１８の両支点突部１８ｂが、スイッチ収容凹部１６の両支持孔１６ｂに着脱自在に嵌め込まれて支持されている。そしてこの開閉操作カバー体１８の両支点突部１８ｂ回りの回動操作により、係合フック部１８ｃが係合片部１６ｃに係脱自在に係合されるように構成されている。
【００３５】
この開閉操作カバー体１８の係合フック部１８ｃとスイッチ収容凹部１６の係合片部１６ｃとの係合状態により、開閉操作カバー体１８は電源スイッチ１７を覆う閉姿勢で保持され、外部からスイッチ操作部１７ａを直接操作できない状態とされる。
【００３６】
また、係合フック部１８ｃと係合片部１６ｃとの係合を解除して、図２や図３の仮想線で示すように、開閉操作カバー体１８を装置本体２の前方に倒せば、スイッチ操作部１７ａが開放された開姿勢とされて電源スイッチ１７のオン・オフ操作が可能な状態とされる。
【００３７】
さらに、本実施形態においては、図６ないし図９に示されるような形状の操作領域解放カバー体２０を備えており、この操作領域解放カバー体２０は、外装カバー部材１５と同一樹脂からなり、例えば、ＡＢＳ樹脂やポリカーボネート等の合成樹脂により成形されている。
【００３８】
そして、この操作領域解放カバー体２０は、スイッチ収容凹部１６に対して、開閉操作カバー体１８と選択的に装着可能、即ち、開閉操作カバー体１８の代わりに装着可能に構成されている。
【００３９】
従って、操作領域解放カバー体２０は、開閉操作カバー体１８と同様、カバー本体部１８ａと略同じ大きさのカバー本体部２０ａと、該カバー本体部２０ａの下端部両側にそれぞれ側方突出状に形成された半球状の支持突部２０ｂと、カバー本体部２０ａの上端縁部の幅方向中央部よりスイッチ収容凹部１６の内方向に突出状に形成された係止フック部２０ｃとを備えている。
【００４０】
そして、前記両支持突部２０ｂは、開閉操作カバー体１８の両支点突部１８ｂに対応する位置に略同じ形状に形成されている。また、前記係止フック部２０ｃは、開閉操作カバー体１８の係合フック部１８ｃに対応する位置に形成されている。この際、係止フック部２０ｃの上面には、係合フック部１８ｃの上面に突出する係合部１８ｅの上方突出量に比較して、より多く突出する係止部２０ｄが備えられた構造とされている。
【００４１】
さらに、操作領域解放カバー体２０のカバー本体部２０ａにおいて、電源スイッチ１７のスイッチ操作部１７ａをオン・オフ操作するための操作領域に対応した部分には、操作用開口部２０ｅが形成されている。また、この操作用開口部２０ｅは、外部から、即ち装置本体２の正面側から電源スイッチ１７方向に向けて、その開口領域が漸次狭くなる操作ガイド面２０ｆを周囲に有してなる構造とされている。
【００４２】
そして、開閉操作カバー体１８と同様、外装カバー部材１５や操作領域解放カバー体２０の可撓性を利用して、スイッチ収容凹部１６に操作領域解放カバー体２０が装着されると、操作領域解放カバー体２０の両支持突部２０ｂが、スイッチ収容凹部１６の両支持孔１６ｂに嵌め込まれて支持されると共に、図７に示されるように、係止フック部２０ｃが係合片部１６ｃに係止された状態となる。この際、係止フック部２０ｃの係止部２０ｄは係合フック部１８ｃの係合部１８ｅよりも多く突出した構造とされているため、係合片部１６ｃと係止フック部２０ｃとの引っ掛かり量が大きくなり、係止状態がより強固に得られ、不用意な離脱が有効に防止できる構造とされている。
【００４３】
この操作領域解放カバー体２０を装着した状態で、電源スイッチ１７のオン・オフ操作を行う場合には、操作用開口部２０ｅを通じてスイッチ操作部１７ａを操作すればよい。
【００４４】
本実施形態は以上のように構成されており、装置本体２の主電源部１４におけるスイッチ収容凹部１６に対し、開閉操作自在に装着される開閉操作カバー体１８と固定状態に装着される操作領域解放カバー体２０とが、選択的に装着可能とされているため、電源スイッチ１７をオン操作して一度通電するとほとんどオン・オフ操作しないユーザに対しては、図１ないし図３に示されるように、開閉操作カバー体１８を選択して装着すればよい。
【００４５】
この場合、開閉操作カバー体１８を開姿勢として、電源スイッチ１７をオン・オフ操作した後、開閉操作カバー体１８を閉姿勢としておけば、不用意な電源スイッチ１７のオン・オフ操作が有効に防止できる。
【００４６】
また、電源スイッチ１７を頻繁にオン・オフ操作するユーザに対しては、図７に示されるように、操作領域解放カバー体２０を選択して装着すればよい。この場合、電源スイッチ１７をオン・オフ操作する場合には、操作用開口部２０ｅを通じて外部に露出状とされたスイッチ操作部１７ａを、その操作用開口部２０ｅを通じて直接操作すればよい。この際、操作領域解放カバー体２０を装着した状態においては、操作用開口部２０ｅから電源スイッチ１７のオン・オフ操作部分に対応するスイッチ操作部１７ａの比較的狭い部分だけが露出する構造であるため、外観も損なわず、電源スイッチ１７に対するひざ等の不用意な接触も有効に防止でき、電源スイッチ１７の誤動作が有効に防止できる。
【００４７】
ここに、電源スイッチ１７の周辺部の仕様をユーザのニーズに合わせて容易に対応することができる利点がある。
【００４８】
そして、小部品である開閉操作カバー体１８と操作領域解放カバー体２０とをそれぞれ製造するだけよく、生産性にも優れ、容易に対処できる利点もある。
【００４９】
また、開閉操作カバー体１８は、スイッチ収容凹部１６に着脱可能に装着されているため、製造ラインにおいて、予め、開閉操作カバー体１８をスイッチ収容凹部１６に装着しておき、ユーザ側の要求等、必要に応じて、開閉操作カバー体１８を取外し、操作領域解放カバー体２０を装着すればよく、この場合においても、電源スイッチ１７の周辺部の仕様を後日、ユーザのニーズに合わせて容易に対応することができる。
【００５０】
さらに、操作領域解放カバー体２０の操作用開口部２０ｅが、装置本体２の正面側から電源スイッチ１７方向に向けて、その開口領域が漸次狭くなる操作ガイド面２０ｆを有しているため、操作領域解放カバー体２０の装着状態で、電源スイッチ１７をオン・オフ操作する際に、指先が操作ガイド面２０ｆによって、電源スイッチ１７のスイッチ操作部１７ａに自然と案内される構造となっており、操作性に優れる利点がある。
【００５１】
また、スイッチ収容凹部１６内に配置される電源スイッチ１７を装置本体２の正面に備えた構造であるため、電源スイッチ１７に対するアクセスが良好であり、電源スイッチ１７に対する操作性を良好に確保できる。
【００５２】
さらに、スイッチ収容凹部１６を備えた外装カバー部材１５と、開閉操作カバー体１８や操作領域解放カバー体２０とが同一樹脂で形成された構造とされており、リサイクルに際してそれぞれを分別する必要がなく、至便である。特に、操作領域解放カバー体２０を装着して一体化された状態においては、リサイクルに際してより至便である。
【００５３】
また、開閉操作カバー体１８および操作領域解放カバー体２０が、装置本体２の外装カバー部材１５と異なる色、例えば、赤色や黄色等の異なる色で形成されている構造とすれば、色の相違により、電源スイッチ１７部分を認識し易くなるという利点がある。
【００５４】
なお、上記実施形態において、主電源部１４が装置本体２の正面に備えられた構造を示しているが、側面等に備えられる構造であってもよく、何ら実施形態の位置に限定されない。
【００５５】
また、スイッチ収容凹部１６や開閉操作カバー体１８および操作領域解放カバー体２０の形状や、スイッチ収容凹部１６に対する開閉操作カバー体１８や操作領域解放カバー体２０の取付け構造も、何ら実施形態に限定されない。
【００５６】
さらに、前記実施形態においては、画像形成装置としてファクシミリ装置１に適用した構造について説明しているが、これに限定するものではなく、コピー機やスキャナ装置等その他の画像形成装置に適用することもできる。
【図面の簡単な説明】
【００５７】
【図１】本発明の実施形態にかかるファクシミリ装置の斜視図である。
【図２】電源部分の説明図である。
【図３】開閉操作カバー体が装着された状態の電源部分の断面説明図である。
【図４】開閉操作カバー体の斜視図である。
【図５】外装カバー部材のスイッチ収容凹部部分の斜視図である。
【図６】操作領域解放カバー体の斜視図である。
【図７】操作領域解放カバー体が装着された状態の電源部分の断面説明図である。
【図８】操作領域解放カバー体の正面図である。
【図９】図８のIX−IX線断面矢視図である。
【符号の説明】
【００５８】
１  ファクシミリ装置
２  装置本体
１５  外装カバー部材
１６  スイッチ収容凹部
１６ａ  開口部
１６ｂ  支持孔
１６ｃ  係合片部
１７  電源スイッチ
１７ａ  スイッチ操作部
１８  開閉操作カバー体
１８ａ  カバー本体部
１８ｂ  支点突部
１８ｃ  係合フック部
２０  操作領域解放カバー体
２０ａ  カバー本体部
２０ｂ  支持突部
２０ｃ  係止フック部
２０ｅ  操作用開口部
２０ｆ  操作ガイド面
【図１】
2008021436.tif 000003
【図２】
2008021436.tif 000004
【図３】
2008021436.tif 000005
【図４】
2008021436.tif 000006
【図５】
2008021436.tif 000007
【図６】
2008021436.tif 000008
【図７】
2008021436.tif 000009
【図８】
2008021436.tif 000010
【図９】
2008021436.tif 000011